(57)【要約】【課題】  本体からカードを離脱させて通話時に課金や着信データ等の通話内容が監視出来る様にする。【解決手段】  電話回線を介して情報の授受を行なう様に成された端末を使用する場合に於いて、少なくとも電話回線を介して情報の授受を行なう機能手段と該機能手段で授受した情報を再送受信可能な第１の無線送受信手段を内蔵した本体２と、本体２の第１の無線送受信手段と送受信可能な第２の無線送受信手段及び情報を表示する表示部を有するカード３とを具備した。【選択図】      図１
2005110305.tif 000002
【特許請求の範囲】
【請求項１】
電話回線を介して情報の授受を行なう様に成された携帯用情報端末装置に於いて、
少なくとも電話回線を介して上記情報の授受を行なう機能手段と該機能手段で授受した情報を再送受信可能な第１の無線送受信手段を内蔵した本体ケーシングと、
上記本体ケーシングの上記第１の無線送受信手段と送受信可能な第２の無線送受信手段及び上記情報を表示する表示部を有するカードケーシングとを具備し、
上記本体ケーシングに対し上記カードケーシングを着脱自在にしたことを特徴とする
携帯用情報端末装置。
【請求項２】
電話回線を介して情報の授受を行なう様に成された携帯用情報端末装置に於いて、
少なくとも電話回線を介して上記情報の授受を行なう機能手段と該機能手段で授受した情報を再送受可能な第１の無線送受信手段を内蔵した本体ケーシングと、
上記本体ケーシングの上記第１の無線送受信手段と送受信可能な第２の無線送受信手段、上記情報及び個人識別コードを記憶する記憶部を有し、上記本体ケーシングに対し着脱自在と成されたカードケーシングとを具備し、
上記カードケーシングが上記本体ケーシングに対し着脱構成を有することを特徴とする
携帯用情報端末装置。
【請求項３】
前記カードケーシングの上面がカバーと成され、下面に第１の操作部が形成されると共に前記本体ケーシングに着脱自在と成される該カードケーシングの挿着時の対向面に第２の操作部が設けられて成ることを特徴とする
請求項１又は請求項２記載の携帯用情報端末装置。
【請求項４】
前記カードケーシングの１面にタッチパネルを配設して成ることを特徴とする
請求項１又は請求項２記載の携帯用情報端末装置。
【請求項５】
上記第１及び第２の無線送受信手段は、光通信によることを特徴とする
請求項１又は請求項２記載の携帯用情報端末装置。
【請求項６】
電話回線を介して情報の授受を行なう様に成された携帯用情報端末装置を使用した情報システムに於いて、
少なくとも電話回線を介して上記情報の授受を行なう機能手段と該機能手段で授受した情報を再送受信可能な第１の無線送受信手段を内蔵した本体と、
上記本体の上記第１の無線送受信手段と送受信可能な第２の無線送受信手段及び上記情報を表示する表示部を有するカードとを具備したことを特徴とする
情報システム。
【請求項７】
電話回線を介して情報の授受を行なう様に成された携帯用情報端末装置を使用した情報システムに於いて、
少なくとも電話回線を介して上記情報の授受を行なう機能手段と該機能手段で授受した情報を再送受可能な第１の無線送受信手段を内蔵した本体と、
上記本体の上記第１の無線送受信手段と送受信可能な第２の無線送受信手段、上記情報及び個人識別コードを記憶する記憶部を有することを特徴とする
情報システム。
【請求項８】
前記カードの１面に第２の操作部が設けられて成ることを特徴とする
請求項６又は請求項７記載の情報システム。
【請求項９】
前記カードの１面にタッチパネルを配設して成ることを特徴とする
請求項６又は請求項７記載の情報システム。
【請求項１０】
上記第１及び第２の無線送受信手段は、光通信によることを特徴とする
請求項６又は請求項７記載の情報システム。
【発明の詳細な説明】
【技術分野】
【０００１】
本発明は無線電話装置の送受話器等に用いて好適な携帯用情報端末装置、及びその携帯用情報端末装置を使用した情報システムに関する。
【背景技術】
【０００２】
従来から無線電話装置、携帯用電話装置等の携帯用情報端末装置のケーシングは携帯に便なる様に工夫が施された種々のものが提案されている。
【０００３】
図９は従来の携帯用電話装置の非通話状態を示す構成図、図１０は通話状態を示す構成図である。
【０００４】
図９及び図１０に於いて、携帯用電話機１は本体ケーシング２及びカード（サブ）ケーシング３より構成されている。
【０００５】
本体ケーシング２は略直方体状で図１０に示す様に下端は段部４が形成されて１段低くなされて、その前面にパネル５が形成され、該パネル５上にテンキー等の電話用の操作キー群６が並設されている。尚７はフックスイッチである。
【０００６】
又、本体ケーシング２の上側内部には受話器８を有し、本体ケーシング２に穿った透孔９を介して通話音が放音される。尚１０は電源キーであり、アンテナ１１は本体ケーシング２に挿入可能で通話時に図１０の様に引き出される。
【０００７】
本体ケーシング２の下端部にはヒンジ部１２で枢着されたカードケーシング３を有し、このカードケーシング３はヒンジ部１２を中心に図９の様に本体ケーシング２のパネル５と対向する様に折り畳まれた状態では表面は単なるカバーとして機能するだけであるが送話器１３が内蔵されているので図１０の様にカードケーシング３はヒンジ部１２を中心に開いた状態でカードケーシング３の送話器１３部分に穿った透孔１４を介して通話が行われる様に成されている。
【発明の開示】
【発明が解決しようとする課題】
【０００８】
上述の従来構成で説明した携帯電話装置によると、携帯時にはコンパクト化が可能で携帯に便なる構成とすることが出来るが通話時には図１０に示す様にカードケーシング３はヒンジ１２を介して開いた状態で使用するため安定性が悪く、破損し易く、携帯用情報端末装置を耳に当てているため表示部が見えず操作部が操作出来ない等で使い勝手が悪い問題があった。
【０００９】
又、通話時には本体ケーシング２とカードケーシング３がプラスされた面積となって大型化される問題があった。
【００１０】
更に、従来の携帯電話装置では種々の方式が提案されているため、ある種の携帯電話装置用の端末を所定エリア外に持って行った場合に全く使用出来ない場合が多く、レンタル等で端末を借りても、例えば、個人の電話番号等の自己のデータを全く使用出来ないといった問題があった。
【００１１】
本発明は叙上の問題点を解消するもので、その目的とするところは通話或は通信等の使用状態では本体を耳に当てながら、電話番号をメモリしたり、ＬＣＤ情報を見ることが出来ると共に必要な操作キーのみがカード上に配設されて使い勝手がよく、且つ通話時にもコンパクトなものを得ることにある。
【課題を解決するための手段】
【００１２】
本発明の携帯用情報端末装置は、電話回線を介して情報の授受を行なう様に成された携帯用情報端末装置に於いて、少なくとも電話回線を介して情報の授受を行なう機能手段と該機能手段で授受した情報を再送受信可能な第１の無線送受信手段を内蔵した本体ケーシングと、本体ケーシングの第１の無線送受信手段と送受信可能な第２の無線送受信手段及び情報を表示する表示部を有するカードケーシングとを具備し、本体ケーシングに対しカードケーシングを着脱自在にしたことを特徴とするものである。
【００１３】
また本発明の携帯用情報端末装置は、電話回線を介して情報の授受を行なう様に成された携帯用情報端末装置に於いて、少なくとも電話回線を介して情報の授受を行なう機能手段と該機能手段で授受した情報を再送受可能な第１の無線送受信手段を内蔵した本体ケーシングと、本体ケーシングの第１の無線送受信手段と送受信可能な第２の無線送受信手段、情報及び個人識別コードを記憶する記憶部を有し、本体ケーシングに対し着脱自在と成されたカードケーシングとを具備し、カードケーシングが本体ケーシングに対し着脱構成を有することを特徴とするものである。
【００１４】
また本発明の情報システムは、電話回線を介して情報の授受を行なう様に成された携帯用情報端末装置を使用した情報システムに於いて、少なくとも電話回線を介して情報の授受を行なう機能手段と該機能手段で授受した情報を再送受信可能な第１の無線送受信手段を内蔵した本体と、本体の第１の無線送受信手段と送受信可能な第２の無線送受信手段及び情報を表示する表示部を有するカードとを具備したことを特徴とするものである。
【００１５】
また本発明の情報システムは、電話回線を介して情報の授受を行なう様に成された携帯用情報端末装置を使用した情報システムに於いて、少なくとも電話回線を介して情報の授受を行なう機能手段と該機能手段で授受した情報を再送受可能な第１の無線送受信手段を内蔵した本体と、本体の第１の無線送受信手段と送受信可能な第２の無線送受信手段、情報及び個人識別コードを記憶する記憶部を有することを特徴とするものである。
【発明の効果】
【００１６】
本発明によれば情報の授受時にカードケーシングを開く必要がなく、又、ヒンジ部等で垂下させた不安定な状態で情報の授受を行なう必要もないので、カードケースを破損させることなく、全体にコンパクトに構成することの出来ると共に本体ケーシングを耳及び口に当てながら、カードケーシングの表示内容等を見ることが出来、電話番号等のメモも容易に出来る。更に、方式の異なった携帯用情報端末装置であっても自己の登録済の情報等を有効に利用可能と成る。
【発明を実施するための最良の形態】
【００１７】
以下、本発明を、携帯用電話機或は携帯用無線機に適用した構成を図１乃至図８によって詳記する。
【００１８】
本例の携帯無線電話機としてのケーシング構成を説明するに先だち、図８によって電気的な構成の１例を説明する。尚、図９及び図１０との対応部分には同一符号を付して示す。
【００１９】
図８で携帯用情報端末装置としての携帯無線電話装置１５は図９及び図１０と同様に本体ケーシング２及びカードケーシング３とより構成されている、これらの構成については後述する。
【００２０】
本体ケーシング２内にはアンテナ１１及びアンテナ共用器１６を介して受信した信号を受信部１７に供給し、この受信部１７で所定の伝送チャンネルの信号に受信処理し、処理された受信信号を変復調部１８に供給して、ベースバンド信号に復調処理する。そして、復調されたベースバンド信号を、ベースバンド処理部１９に供給する。
【００２１】
このベースバンド処理部１９では、受信信号から音声信号と制御データとを抽出するベースバンド処理を行い、抽出された音声信号を音声処理部２０に供給すると共に、制御データを制御部（以下ＣＰＵと記す）２１に供給する。
【００２２】
音声処理部２０は、音声信号処理を行う回路で、受信信号より抽出した音声信号はアンプ２２を介して受話器８に供給し、この受話器８から放音させる。
【００２３】
また、ＣＰＵ２１では、ベースバンド処理部１９から供給される制御データに基づいて通信チャンネルの設定，切換などの通信制御を行う。
【００２４】
又、送話器１３が出力する音声信号を、アンプ２３を介して音声処理部２０に供給し、送信用の音声処理を行った後、ベースバンド処理部１９に供給してベースバンド処理を行って送信用の音声信号とし、この送信用の音声信号を変復調部１８に供給し、送信用の変調処理を行う。そして、変調信号を送信部２４に供給し、所定の送信チャンネルの送信信号とし、アンテナ共用器１６を介してこの送信信号をアンテナ１１に供給して無線送信させる。
【００２５】
又、ＣＰＵ２１には操作部２５が接続してあり、操作部２５を構成するキーの操作により、ＣＰＵ２１が電話機としての各種動作制御を行う。例えば電話の短縮登録、セッティング等の操作キー群が配設されている。又、２６はＣＰＵ２１が通常有するＲＯＭ，ＲＡＭ等のメモリで通信履歴データ等も記憶される。更に、本体ケーシング２とカードケーシング３とで情報信号の授受を無線（光通信）で行うために本体ケーシング２側に発光素子及び受光素子２８を設けて第１の送受信手段を構成する。本体ケーシング２内には１次又は２次電池の如き電圧源２９が内蔵されている。
【００２６】
カードケーシング３内にはマイクロコンピュータ等の制御部（以下ＣＰＵと記す）３０を有し、ＣＰＵ３０では操作部６が設けられる。この操作部６は例えばテンキー等で発呼時の電話番号の入力操作や個人の電話番号登録等のＩＤ等の識別コードの登録及び入力された電話番号の発信処理が行なわれる。又、ＬＣＤ等の表示部３１及び個人ＩＤ（個人識別コード）を格納するメモリ５２等が配設されている。
【００２７】
更にＣＰＵ３０は本体ケーシング２側の発光素子２７からの光情報信号を受光する受光素子３３及び本体ケーシング２側の受光素子２８に光情報信号を送る発光素子３４が配設されて第２の送受信手段を構成し、ＣＰＵ２１及び３０間で光通信（又は無線通信）が行なえる様に成されている。尚、カードケーシング３内には１次又は２次電池の如き電圧源３２が収納可能と成されている。
【００２８】
以下、本例の携帯用情報端末装置として無線電話装置の一実施例を図１乃至図４によって説明する。図１乃至図４は本例のカードケーシングの操作手順を示す構成図である。
【００２９】
図１乃至図４に於いて、携帯用情報端末装置１５の本体ケーシング２は合成樹脂等で略々偏平な長方形状の箱体に形成され、その左右端は半円形状部５０Ｌ及び５０Ｒと成され、左右半円形状部５０Ｌ及び５０Ｒ内には受話器８及び送話器１３が配設されている。尚、この左右半円形状部５０Ｌ及び５０Ｒのアーチ状平面部に形成された透孔９及び１４は送受話器用の放音及び送音孔である。
【００３０】
本体ケーシング２の左右半円形状部５０Ｌ及び５０Ｒを除いて図１に示す様に１段下がった段部３５Ｌ及び３５Ｒを介して平面が長方形状の長手方向の側断面が凹状の溝部と成され、該溝部がパネル５１と成されて、後述するカードケーシング３が着脱自在に嵌着出来る様になされている。このパネル５１の例えば４隅に円形マグネット５３が埋込まれ、カードケーシング３の下面の対応位置に貼着した鉄片（図示せず）等を吸着する様に成されている。
【００３１】
更に本体ケーシング２の左円形状部５０Ｌの段部３５Ｌの左右端に発光素子２７及び受光素子２８が配設されている。
【００３２】
次にカードケーシング３の構成を説明する。このカードケーシング（或はカード）３は上述の本体ケーシング２に形成した段部３５Ｌ及び３５Ｒ間に構成されるパネル５１と対向し、段部３５Ｌ及び３５Ｒ間に嵌挿可能に合成樹脂等で略々長方形状に偏平な箱形に形成されて、ポケット等に挿入可能な様に薄手に選択されている。
【００３３】
このカードケーシング３内には図７で説明したＣＰＵ３０，ＩＤ等の操作部６，ＬＣＤ３１，ＩＤ等を格納するメモリ５２及び第２の送受信手段を構成する受光及び発光素子３３及び３４を有している。
【００３４】
カードケーシング３の上（表）側は図３に示す様にカバー部３７と成され、非使用時にカードケーシング３の後述する裏側のパネル３８に形成された操作部６内のキー群及びＬＣＤ３１等を保護する機能を有し、非使用時、即ち、携帯時に鞄やポケットに入れた状態でもキー群が露出していないので誤動作を防止可能となる。
【００３５】
カードケーシング３の下（裏）側のパネル３８には図１及び図２に示す様にＬＣＤ３１及びテンキー４９やセンドキー３９、エンドキー４０等の操作キー群から成る操作部６が配設されている。
【００３６】
更に、本体ケーシング２の左半円形状部５０Ｌに図１で説明した様に内蔵させた発光素子２７と対向するカードケーシング３の左側面一方の端部に受光素子３３を配設し、本体ケーシング２側の受光素子２８に対向するカードケーシング３の右側面の他方の端部に発光素子３４を配設する様に成されている。尚、アンテナ１１は本体ケーシング２に内蔵されている。
【００３７】
上述の構成での本例の動作を図１乃至図５によって説明する。図１は本例の携帯無線電話装置としての携帯用情報端末装置のカードケーシングの着脱状態を示す斜視図であり、カードケーシング３の裏側を上にした状態でパネル５１に嵌挿すると図２に示す収納状態と成される。この状態でも通話可能であるが、むしろ、本例では図４に示す様に本体ケーシング２を左手に持って送受話器１３及び８を耳及び口に当て、右手で本体ケーシング２から離脱させたカードケーシング３を持ってパネル３８面のテンキー等の操作部６の電話番号の押圧操作や、受話中のＬＣＤ３１に表示される各種伝言や料金等の表示内容を見ながら通話が可能となる。
【００３８】
更に他の構成として、図３に示すカードケーシング３の表側のカバー部３７に後述するも本体側に設ける第１の操作部２５、即ちＩＤ等の登録キー群を配設し、第１の操作部２５でＩＤ登録等を行ない、裏側（図１又は図２）の第２の操作部６の状態で通話又は通信を行なう様に成してもよい。
【００３９】
この様な本例の携帯用情報端末装置では通話時に従来の様にカードケーシング（サブケーシング）をヒンジ部で垂下させて大きくすることがないのでケーシングが不必要に大きくならず、通話時にヒンジ部でカードケーシングが折れたりする恐れはない。又、図４で示す様にカードケーシング３の離脱状態では表示装置の内容を見ながら通話が可能であり、通話中の電話番号の書き込み操作なども右手で容易に行なえる効果を有する。
【００４０】
図５及び図６は本例の他の実施例を示すものであり、カードケーシング３の図１で示すカバー部３７側に大型ＬＣＤ等の表示部を配設したものである。カードケーシング３のパネル３８側に設けられたＬＣＤ３１は通話時の電話番号や、通話時間等の表示等を行なう様に成し、大型ＬＣＤ４２では電子メール等のテキストデータ、手書きデータ、画像データの授受を行なう場合の表示に用いる。尚、カードケーシング３に設けられたキー４３はスクロール用のキーであり、文字数の多いメッセージ等のスクロール等に用いられる。
【００４１】
更に、図１に示した本体ケーシング２のパネル５１に図８で説明した操作部２５を設け、この操作部２５で電話番号の短縮やＩＤ番号の登録等の各種登録等を行なう様にしてもよい。この場合、ＬＣＤ３１又はＬＣＤ４２等へ第２の送受信手段（受光素子２７と受信素子３３間並びに発光素子３４と受光素子３３間）でデータ授受を行なって、カードケーシング３側のＬＣＤ３１に登録データを表示すると共に登録データをメモリ５２に格納する様に成す。
【００４２】
図６に示す本体ケーシング２のパネル上にカードケーシング３の表側を上にしてパネル５１に大型ＬＣＤ４２側を嵌着させれば図５に示す様に電子メールデータの授受が可能となり、カードケーシング３の裏側を上にしてパネル５１にパネル３８側を上に嵌着させれば図２の様に成されて通話時の音声データの授受を行なうことが出来る。
【００４３】
図７は本例の携帯用情報端末装置の更に他の実施例を示すものである。図７は本体ケーシング２の左右段部３５Ｌ及び３５Ｒで形成された凹状のパネル５１にタッチパネルを設けたカードケーシング３を着脱自在に配設した場合の構成図である。
【００４４】
図７に於いて、本例に用いるカードケーシング３は図６に示した大型ＬＣＤ４２をタッチパネル４４と成したものでタッチパネル４４上に表示部４５と成る部分を残し、ワンタッチダイヤリングカード４７が挿入可能な開口部４６を有する枠体４８を一方の上面に有し、他方の下面には図１で説明したと同様のテンキー等の操作部６が設けられている。この様なカードケーシングは複数種類が製作され、例えば図６に示す大型ＬＣＤ４２を有するカードケーシング３を取り外して、図７に示すタッチパネル付のカードケーシング３をパネル５１に挿入することで磁石５３によって本体ケーシング２にワンタッチで挿着固定出来る様に成されている。
【００４５】
この様に本体ケーシング２に挿着したカードケーシング３は裏側を上にしてパネル５１に嵌挿させれば図２の状態に成される。尚、上述の様にカードケーシング３の表裏を利用する場合の第１及び第２の送受信手段としての受光素子２８及び３３並びに発光素子２７及び３４の位置には、ホトインタラプタ等を用いる様に成される。
【００４６】
本発明の携帯用情報端末装置は叙上の如く構成し、且つ操作されるので、従来の様に登録等の操作を行なうとき、或は表示内容を見るときに携帯用情報端末を口及び耳元から離す必要がなく、通話中でも電話番号のメモ或はＬＣＤ監視を容易に行なえる。
【００４７】
更に、異なる方式の携帯用情報端末装置であっても本体ケーシングとカードケーシングの着脱機構に互換性があれば、カードケーシングに登録、格納した、自己の個人ＩＤ等を有効に利用可能な携帯用情報端末装置が得られる。
【００４８】
尚、上述の各実施例では本体ケーシング２に対し、カードケーシング３をパネルに着脱自在に嵌着する様に構成させたが、本体ケーシングに設けた引き抜き自在の引き出し部等にカードケーシングを挿入する様な構成であってもよい。
【図面の簡単な説明】
【００４９】
【図１】本発明の携帯用情報端末装置のカードケーシング着脱状態説明図である。
【図２】本発明の携帯用情報端末装置の収納状態の構成図である。
【図３】本発明の他の携帯用情報端末装置の非使用状態の構成図である。
【図４】本発明の携帯用情報端末装置の使用状態説明図である。
【図５】本発明の他の携帯用情報端末装置の収納状態の構成図である。
【図６】本発明の他の携帯用情報端末装置の本体ケーシングの他の構成図である。
【図７】本発明の携帯用情報端末装置の更に他の構成図である。
【図８】本発明の携帯用情報端末装置の系統図である。
【図９】従来の携帯用情報端末装置の構成図である。
【図１０】従来の携帯用情報端末装置の通話状態の構成図である。
【符号の説明】
【００５０】
２  本体ケーシング
３  カードケーシング
６，２５  操作部
１５  携帯用情報端末装置
３１，４２  ＬＣＤ
３８，５１  パネル
【図１】
2005110305.tif 000003
【図２】
2005110305.tif 000004
【図３】
2005110305.tif 000005
【図４】
2005110305.tif 000006
【図５】
2005110305.tif 000007
【図６】
2005110305.tif 000008
【図７】
2005110305.tif 000009
【図８】
2005110305.tif 000010
【図９】
2005110305.tif 000011
【図１０】
2005110305.tif 000012